(57)【要約】【課題】照明器具に近い段と離れた段との間に照度差が生じない、かつ消費電力の少ない照明装置を備えた自動販売機を提供する。【解決手段】前面パネルと背面パネルの間の空間でかつ複数段の最上段の模型の直上の取付け面に設置される照明器具とで構成される自動販売機用照明装置であって、前記照明器具が、複数の発光ダイオードを少なくとも１列のライン状に配置したアレイ状光源と、前記アレイ状光源の光出射側に前記複数の発光ダイオードそれぞれに対応して設けられ、前記模型に向けて拡開した曲面形状を有する第１反射部と、前記第１反射部のさらに光出射側で、前記発光ダイオードの並び方向に対して平行に、前記発光ダイオードからの光を光出射側に向けて反射する平板状の反射面を有する第２反射部と、を備え、前記第２反射部が、前記発光ダイオードを中心とする前記模型の１方側のみに配置された。【選択図】図１
2008140000.tif 000002
【特許請求の範囲】
【請求項１】
商品模型を載置する複数の載置段と、前記載置段の前面に垂直に配置される前面パネルと、前記載置段の背面に垂直に配置される背面パネルと、前記複数段の最上段の載置段の上方に設置され前記前面パネルと前記背面パネルの間の空間を照明する照明器具と、で構成される自動販売機用照明装置であって、
前記照明器具が、
複数の発光ダイオードを少なくとも１列のライン状に配置したアレイ状光源と、前記アレイ状光源の光出射側に前記複数の発光ダイオードそれぞれに対応して設けられ、前記模型に向けて拡開した曲面形状を有する第１反射部と、前記第１反射部のさらに光出射側で、前記発光ダイオードの並び方向に対して平行に、前記発光ダイオードからの光を光出射側に向けて反射する平板状の反射面を有する第２反射部と、を備え、かつ、前記第２反射部が、前記発光ダイオードを中心として前記載置段の背面側のみに配置されたことを特徴とする自動販売機用照明装置。
【請求項２】
前記背面パネルに拡散シートを設けたことを特徴とする請求項１記載の自動販売機用照明装置。
【請求項３】
前記拡散シートが色の異なる複数枚から成り、季節等によって使い分けるようにしたことを特徴とする請求項２記載の自動販売機用照明装置。
【請求項４】
前記模型を透光性の材料から成る中空体で構成し、その中空体内部に拡散シートを配置したことを特徴とする請求項２記載の自動販売機用照明装置。
【請求項５】
請求項１における前記複数段の最上段の載置段の上方に設置される第１ユニットの照明器具を該第１ユニットの下方に位置する第２ユニットの照明器具の近傍に取付けかつ上向きに投光するようにしたことを特徴とする請求項１記載の自動販売機用照明装置。
【請求項６】
商品模型を載置する載置段を３段とし、各載置段の背後の背面パネルに設けられる拡散シートの拡散率を異ならせたことを特徴とする請求項２記載の自動販売機用照明装置。
【請求項７】
前記第１反射部は放物面からなる反射面を含むことを特徴とする請求項１〜６のいずれか１項記載の自動販売機用照明装置。
【請求項８】
前記第２反射部が前記発光ダイオードの光軸に対して１３度〜１８度の範囲で第１反射部から端部に向けて広がる傾斜角度を有することを特徴とする請求項７記載の自動販売機用照明装置。
【請求項９】
前記アレイ状光源の各発光ダイオードが複数列にわたって配列され、各発光ダイオードの列毎に、発光ダイオードの配置間隔を半周期分ずらすことで、千鳥状に配置されたことを特徴とする請求項７又は８記載の自動販売機用照明装置。
【請求項１０】
前記第１反射部、前記第２反射部の少なくともいずれかの反射面に梨地加工が施されていることを特徴とする請求項７〜９のいずれか１項記載の自動販売機用照明装置。
【請求項１１】
請求項１〜１０のいずれか１項記載の自動販売機用照明装置と、
前記自動販売機用照明装置が配置される取付け部と、
前記自動販売機用照明装置の直下に配置される模型載置段と、
を備えたことを特徴とする自動販売機。
【発明の詳細な説明】
【技術分野】
【０００１】
本発明は、商品を販売する自動販売機に係り、特にその低電力で明るくかつ自動販売機に向かって上下左右を均一に照明できる自動販売機用照明装置に関するものである。
【背景技術】
【０００２】
販売する多種の製品を複数段に陳列して販売する従来の自動販売機にあっては、その照明は、（１）各段ごとにその裏側に各照明装置を配置しているか、（２）１個の照明装置で２段をまとめて照明するかしていた。
（１）の場合は、照明装置が段数の数だけ必要となるので、装置が大型化し、電力を多く消費し、装置全体が高熱化し、かつ高価となったため、省エネルギーの観点から最近ではあまり採用されていない。
一方、（２）の場合は、照明装置は段数の数の半分でよいので、装置が大型化にならず、電力も半分となり、したがって装置全体の温度上昇も抑えられ、かつコスト安となるので、最近多く採用されている。
【０００３】
しかしながら、このような２段をまとめて照明する自動販売機では、照明装置に近い上段と離れた下段との間に照度差が生じてしまい、暗い下段の商品が見え難いという問題が発生している。
【０００４】
図１９は従来の自動販売機用照明装置の１例の部分断面図である。図において、９０は従来の自動販売機用照明装置、９０−１は照明装置９０を構成する第１ユニット、９０−２は照明装置９０を構成する第２ユニットで、それぞれ同一構成となっている。９１は照明器具取付け棚、９２は蛍光灯、９４は前面パネル、９６は背面パネル、Ｔは透光部材でタバコ箱の直方体に形成されたタバコ模型で、表面にタバコ意匠を印刷した透明フィルムが貼ってある。蛍光灯はその特性から発光方向に均一に照射するので、例えば、第１ユニット９０−１の上段のタバコ模型Ｔ１は見易い照度となっているが、下段のタバコ模型Ｔ２は照度が落ちて見難くなってしまっていた。同じことは、第２ユニット９０−２にも言えることで、上段のタバコ模型Ｔ１は見易い照度となっているが、下段のタバコ模型Ｔ２は照度が落ちて見難くなってしまっていた。
【０００５】
図２０は図１９の照明装置を３組備えた従来の自動販売機の正面図である。
図において、９００は自動販売機、９０は表示装置、９０−１〜９０−３は照明装置９０を構成するそれぞれ第１〜第３ユニット、１１１は表示部、１１２は紙幣挿入口、１１３はコイン投入口、１１４は返却ボタン、１１５は釣り銭渡し口、１１６は商品取り出し口である。Ｔ１、Ｔ２はタバコ模型、Ｂは購入ボタンである。
図から判るように、従来の第１ユニット９０−１では、第１ユニットの上段のタバコ模型Ｔ１は見易い明るい照度となっているが、蛍光灯を用いるため下段のタバコ模型Ｔ２は照度が落ちていて、見難くなっている。
同じことは、第２ユニット９０−２、第３ユニット９０−３にも言えることで、上段のタバコ模型Ｔ１は見易い照度となっているが、下段のタバコ模型Ｔ２は照度が落ちて見難くなってしまっていた。
【０００６】
これを解決するため、蛍光灯９２（図１９）のワット数を上げて、光度を増やしたところ、下段のタバコ模型Ｔ２の照度が上がって見易い照度となったが、それ以上に上段のタバコ模型Ｔ１は過剰照度となってしまい、照度差はさらに拡大してしまった。また、省エネルギーの観点からも好ましくない。
【０００７】
また、背面パネル９６の全面に拡散シートを貼ったところ、上段のタバコ模型Ｔ１はさらに明るくなったが、これと比べて下段のタバコ模型Ｔ２の照度はやや上がった程度で、両者の照度差は依然解消されなかった。
【０００８】
また、蛍光灯９２の代わりに、市販の発光ダイオードと市販の反射器を組み合わせて用いたが、第１ユニット９０−１の上段のタバコ模型Ｔ１の照度すら蛍光灯９２による照度は得られなかった。まして、下段のタバコ模型Ｔ２の照度は全く満足のいくものは得られなかった。また、背面パネル９６の全面に拡散シートを貼ったが、上段および下段ともに満足のいく照度は得られなかった。
【発明の開示】
【発明が解決しようとする課題】
【０００９】
本発明は上記課題を解決するためになされたもので、照明器具に近い段と離れた段との間に照度差が生じない、かつ消費電力の少ない照明装置を備えた自動販売機を提供することを目的としている。
【課題を解決するための手段】
【００１０】
上記課題を解決するため、請求項１記載の発明は自動販売機用照明装置に係り、販売する商品の模型を載置する複数の載置段と、前記載置段の前面に垂直に配置される前面パネルと、前記載置段の背面に垂直に配置される背面パネルと、前記複数段の最上段の載置段の上方に設置され前記前面パネルと前記背面パネルの間の空間を照明する照明器具と、で構成される自動販売機用照明装置であって、前記照明器具が、複数の発光ダイオードを少なくとも１列のライン状に配置したアレイ状光源と、前記アレイ状光源の光出射側に前記複数の発光ダイオードそれぞれに対応して設けられ、前記模型に向けて拡開した曲面形状を有する第１反射部と、前記第１反射部のさらに光出射側で、前記発光ダイオードの並び方向に対して平行に、前記発光ダイオードからの光を光出射側に向けて反射する平板状の反射面を有する第２反射部と、を備え、かつ、前記第２反射部が、前記発光ダイオードを中心として前記載置段の背面側のみに配置されたことを特徴としている。
請求項２記載の発明は、請求項１記載の自動販売機用照明装置において、前記背面パネルに拡散シートを設けたことを特徴としている。
【００１１】
請求項３記載の発明は、請求項２記載の自動販売機用照明装置において、前記拡散シートが色の異なる複数枚から成り、季節等によって使い分けるようにしたことを特徴としている。
【００１２】
請求項４記載の発明は、請求項２記載の自動販売機用照明装置において、前記模型を透光性の材料から成る中空体で構成し、その中空体内部に拡散シートを配置したことを特徴としている。
【００１３】
請求項５記載の発明は、請求項１記載の自動販売機用照明装置において、請求項１における前記複数段の最上段の載置段の上方に設置される第１ユニットの照明器具を該第１ユニットの下方に位置する第２ユニットの照明器具の近傍に取付けかつ上向きに投光するようにしたことを特徴としている。
請求項６記載の発明は、請求項２記載の自動販売機用照明装置において、商品模型を載置する載置段を３段とし、各載置段の背後の背面パネルに設けられる拡散シートの拡散率を異ならせたことを特徴としている。
【００１４】
請求項７記載の発明は、請求項１〜６のいずれか１項記載の自動販売機用照明装置において、前記第１反射部は放物面からなる反射面を含むことを特徴としている。
【００１５】
請求項８記載の発明は、請求項７記載の自動販売機用照明装置において、前記第２反射部が前記発光ダイオードの光軸に対して１３度〜１８度の範囲で第１反射部から端部に向けて広がる傾斜角度を有することを特徴としている。
【００１６】
請求項９記載の発明は、請求項７又は８記載の自動販売機用照明装置において、前記アレイ状光源の各発光ダイオードが複数列にわたって配列され、各発光ダイオードの列毎に、発光ダイオードの配置間隔を半周期分ずらすことで、千鳥状に配置されたことを特徴としている。
【００１７】
請求項１０記載の発明は、請求項７〜９のいずれか１項記載の自動販売機用照明装置において、前記第１反射部、前記第２反射部の少なくともいずれかの反射面に梨地加工が施されていることを特徴としている。
【００１８】
請求項１１記載の発明は、自動販売機に係り、請求項１〜１０のいずれか１項記載の自動販売機用照明装置と、前記自動販売機用照明装置が配置される取付け部と、前記自動販売機用照明装置の直下に配置される模型載置段と、を備えたことを特徴としている。
【発明の効果】
【００１９】
上記構成によれば、いずれも照明装置に近い上段と離れた下段との間に照度差が生じない、かつ消費電力の少ない照明装置を備えた自動販売機が得られることとなる。
【発明を実施するための最良の形態】
【００２０】
以下に、本発明について図面を参照しながら詳細に説明するが、もちろん本発明はこれ等の実施例のみに限定されるものではない。
【実施例１】
【００２１】
図１は本発明の実施例１に係る照明装置の部分断面図である。
図において、１０は本実施例に係る照明装置、１０−１は照明装置１０を構成する第１ユニット、１０−２は照明装置１０を構成する第２ユニットで、それぞれ同一構成となっている。１１は照明器具取付け棚、１２は本発明に係る照明器具で、特殊な反射部を備えたＬＥＤであり、これによると発光方向全体に広範に照射するのではなくて、ＬＥＤの配列方向の真下から該配列方向に対して直角方向の１方向には所定の距離まで均一な照度で広範囲に照らし（広範囲の均一照明）、逆に、反対方向には均一な照度で照らすもののその距離はごく短い距離まででしかない（狭範囲の均一照明）、という特性を有している。この照明器具１２については後で詳述する。１４は前面パネル、１６は背面パネル、Ｔはアクリル樹脂等の透光部材でタバコ箱の直方体に形成されたタバコ模型で、表面にタバコの意匠模様を印刷した透明フィルムが貼って、本物のタバコの箱のように仕上げてある。以下では、タバコ模型を例に説明するが、もちろんタバコ模型に限定されるものではなく、他の商品、例えば、飲料容器、食品容器、日用品、衛生品、切符、チケット、雑誌の模型であってもかまわない。１７はこの商品模型（タバコ模型）Ｔを載置する棚である。
この照明器具１２の「広範囲の均一照明」をする範囲にタバコ模型Ｔ１とＴ２を含む自動販売機の前面パネル１４側を選び、そして「狭範囲の均一照明」をする範囲を背面パネル１６側とすることで、ＬＥＤが発光した光のほとんどが有効にタバコ模型Ｔ１とＴ２を照明に用いられ、しかも両者の照度差は許容範囲内となって、見易いものとなった。
同じことは、第２ユニット１０−２にも当てはまった。
【００２２】
図２は図１の照明ユニット１０−１を３組備えた自動販売機の正面図である。
図において、１００は自動販売機、１０は表示装置、１０−１〜１０−３は照明装置１０を構成するそれぞれ第１〜第３ユニット、１１１は表示部、１１２は紙幣挿入口、１１３はコイン投入口、１１４は返却ボタン、１１５は釣り銭渡し口、１１６は商品取り出し口である。Ｔはタバコ模型、Ｂは購入ボタンである。
【００２３】
なお、この自動販売機には、照明装置以外にも、全体の制御をする制御部、投入金額及びつり銭の処理並びに商品の選択をする商品選択部、販売された商品の取り出しを行なう商品取り出し部がそれぞれあるが、いずれもよく知られた構成および機能であり、各々の構成および機能の説明は省略する。
【００２４】
本発明の照明器具を用いることにより、図２に示すように、第１ユニット１０−１の上段のタバコ模型Ｔ１が下段のタバコ模型Ｔ２よりも若干明るくなるおのの両者共に適度な照度が得られ、照度差は許容内であった。
同じことは、第２ユニット１０−１、第３ユニット１０−３にも見られ、上段のタバコ模型Ｔ１も下段のタバコ模型Ｔ２も共に不都合な照度差が生じなくなった。
【００２５】
ここで、本発明に係る照明器具１２の構成および機能について説明する。
本出願人は省電力で高輝度なＬＥＤを用いた照明器具（特許文献１参照）を先に提案したが、本発明に係る照明器具１２はこの特許文献１記載の照明器具を特に自動販売機用に改良したものである。
【特許文献１】特許第３６９４３１０号公報
【００２６】
（本照明器具の実施形態１）
ここで、図３は照明器具の要部拡大斜視図で、図４は図１におけるＰ−Ｐ矢視図、図５は図４におけるＱ−Ｑ断面図である。
図３〜図５に示すように、照明器具１２は、ライン状にＬＥＤを１列配列（以後、「アレイ状光源」と言う。）してユニット化されており、自動販売機１０の照明器具取付け棚１１に設置している。照明器具１２は、図５に図４におけるＱ−Ｑ断面図を示すように、背板３１と、光源である多数個のＬＥＤ３２を基台である配線基板（プリント基板）３３上に直線的に配設した発光部３４と、反射鏡部材４とを有している。背板３１は、反射鏡部材４との間に配線基板３３を挟み込んで反射鏡部材４に着脱自在に組み付けられる。
【００２７】
次に、図６（Ａ）の照明器具１２の側面図、同図（Ｂ）の下面図、図７の照明器具１２の分解斜視図を参照しながら、照明器具１２について説明する。
照明器具１２は、図６（Ａ）に示すように、反射鏡部材４に背板３１が組み付けられ、この状態で高さＨを有する。高さＨは、本照明装置の実施形態においては概ね１５ｍｍ程度であり、白熱電球や蛍光灯等を光源として用いた場合と比較して大幅に薄型化されている。そのため、自動販売機１０の照明器具取付け棚１１に設置する場合であっても、照明器具１２の存在は邪魔にならない。なお、照明器具１２の高さＨは、低すぎると反射鏡部材４の後述する偏向特性が損なわれ、高すぎると設置スペースを要して本照明器具１２の配置自由度が低下する。
【００２８】
反射鏡部材４は、図６（Ｂ）に示すように、長尺板状の取付基部３５（図７参照）と、この取付基部３５に一体に形成され中心位置に開口を有し光出射側が拡開した放物面からなる反射面（以下、「放物面鏡」と呼称する）４１Ａを複数個（本実施形態においては合計１６個）形成した第１反射部４１と、第１反射部４１よりもさらに光出射側に一体に設けられ、複数の放物面鏡４１Ａの配列方向と平行な方向に平板状の反射面（以下、「平面板鏡」とよぶ）４２Ａを形成した第２反射部４２とを有する。この反射鏡部材４は、射出成形により一体成形された樹脂成形品であって、少なくとも第１反射部４１と第２反射部４２の光反射面にはアルミ蒸着等によるコーティング加工が施されて鏡面を形成している。また、光反射面としては、これに限らず、他の常套手段が利用可能である。
【００２９】
背板３１は、図７に示すように、平坦な形状のベース部３１１と、ベース部３１１の長手方向の複数箇所（本実施形態においては５箇所）で、ベース部３１１の内側面に配線基板３３の背面側を支持するリブ３１２と、反射鏡部材４と係合するロック爪３１３とを有する。このロック爪３１３は、縦断面が"コ"の字状のフック形状に形成されている。
【００３０】
配線基板３３は、例えばガラスエポキシや紙フェノール等のプリント基板で構成されており、反射鏡部材４の長手方向に沿って、個々の放物面鏡４１Ａに対応して複数個（ここでは１６個）のＬＥＤ３２が実装されている。配線基板３３の一端からはリード線Ｌが引き出され、駆動部２（図１参照）に接続されている。本実施形態の配線基板３３は、片面実装モジュールのために、障害発生時に問題点を発見し易く、メンテナンス性に優れた安全なモジュールとされている。
【００３１】
取付基部３５は、長手方向両端に照明器具１２の固定用のブラケット３５１が形成されているとともに、長手方向居とは直交する両脇側に、背板３１のロック爪３１３が係合する係合部３５２を設けてある。従って、反射鏡部材４と背板３１とによって配線基板３３を挟み込み、ロック爪３１３のスナップアクションにより、背板３１と、配線基板３３と、反射鏡部材４の取付基部３５とが脱着自在に組み付けられる。
【００３２】
第１反射部４１は、反射面（以後、「放物面鏡」と言う）４１ＡがＬＥＤ３２を焦点位置とした放物面を含む曲面形状を有するものであり、この放物面の焦点位置にあるＬＥＤ３２からの出射光の多くは平行光（コリメートメート光）となって下面に向かう。なお、この第１反射部４１の放物面鏡４１Ａとしては、放物面形状に限定されるものではなく、例えば双曲線（ハイパボリック）等の曲線によって形成される凹面であってもよい。
【００３３】
第２反射部４２は、図４に図１におけるＰ−Ｐ矢視図を示すように、放物面鏡４１Ａの並び方向に直交する方向の片側（照明器具取付け棚１１から垂下する下がり壁１２寄り）に、平面板鏡４２Ａが形成されている。つまり、ＬＥＤ３２を中心とする棚面の背面側と前面側のうち背面側のみに平板鏡４Ａが配置されている。
【００３４】
図５に示すように、背板３１、配線基板３３、取付基部３５（反射鏡部材４）を互いに組み付けると、前述したように、第１反射部４１の放物面鏡４１Ａの焦点位置にＬＥＤ３２の発光面が位置することになる。反射鏡部材４には、図示は省略するが、配線基板３３表面に当接する面が離散的に配置されており、ＬＥＤ３２の発光面が放物面鏡４１Ａの焦点位置となるように、この当接面の高さが調整されている。即ち、配線基板３３が反射鏡部材４に形成された基板収容位置に納まる際、背板３１のリブ３１２が、この当接面に配線基板３３を押圧するようにしてその高さが設定されている。
【００３５】
従って、背板３１、配線基板３３、取付基部３５（反射鏡部材４）を単に組み合わせるだけで、放物面鏡４１Ａの焦点位置とＬＥＤ３２の発光面の位置が簡単にして高精度に一致させることができる。この構成により、例えばねじ等の締結手段を用いることなく簡単に組み付けでき、部品点数を減らして、組立や調整のための工程を軽減でき、生産性の向上が図られる。
【００３６】
次に、上記構成の照明器具１２に関する光学的特性について、図８を用いて説明する。照明器具１２の反射鏡部材４は、前述したように、第１反射部４１と第２反射部４２とが連続して形成されており、第１反射部４１の基端部には、ＬＥＤ３２の発光面を放物面鏡４１Ａの焦点位置に配置させるための開口４３が設けてある。第１反射部４１の放物面鏡４１Ａは、ＬＥＤ３２の発光面を焦点位置とする放物面からなる反射面を有しており、第１反射部４１で反射したＬＥＤ３２からの光は自動販売機１０の模型に向けて略平行（コリメート）化して進行する。これにより、放物面鏡４１Ａで反射した光は、図８に示すようにＬＥＤ３２直下及びその周辺を照明する。
【００３７】
一方、第２反射部４２は、第１反射部４１の一部から連続して連なるように、かつ、棚面に向けて拡開する傾斜角度で平面板鏡４２Ａが設けられている。即ち、この第２反射部４２の平面板鏡４２Ａは、放物面鏡４１Ａの配列方向、即ちＬＥＤ３２の配列（Ｙ）方向に対して平行な方向に沿って配置された平板形状を有している。
【００３８】
特に、この第２反射部４２の平面板鏡４２Ａは、照明器具取付け棚１１の背面側寄りに設置されている。これにより背面パネル側へ向かう光を少なくして、できるだけ前面パネル側に向かうようにしている。
【００３９】
さらに、平面板鏡４２Ａは、図８に示すように、ＬＥＤ３２からの光のうち、第１反射部４１に入射されなかった光軸（中心）寄りの光の一部を受けて、前面パネル（Ｘ）方向に向けて反射させるようになっている。これにより、平面板鏡４２Ａで反射した光がＬＥＤ３２の直下を基準として、前面側から背面側にかけて非対称になる照度パターンで、つまり商品模型載置面の背面側（照明領域Ｐ１）よりも前面側（照明領域Ｐ２）に照明領域がシフトした分布で照明する。
【００４０】
このように、第１反射部４１は反射面領域Ｍ１を有し、第２反射部２７は反射面領域Ｍ１から連続して形成される反射面領域Ｍ２を有する。このため、第１反射部４１，第２反射部４２によって反射された光は、広汎な照明光となって商品模型載置面上の模型に均等に照射される。
【００４１】
なお、ＬＥＤ３２の光軸に対する平面板鏡４２Ａの開き角度θは、商品模型載置面から照明器具取付け棚１１までの高さとの関係にもよるが、さらに下記の要件を満たすように設定している。即ち、
（１）第１反射部４１によって照射されなかった商品模型載置面の非照明領域を補償するように照射させるような照度分布を有すること。
（２）照明すべき商品模型載置面およびその前面部にまで均一に照明光が及ぶこと。
（３）背面パネルで反射しても商品模型に向かわない可能性の高い領域には光が向かわないようにする角度に設定されること。そこで、本実施形態の場合は、平面板鏡４２Ａの傾斜角度がＬＥＤ３２の光軸に対して１３度〜１８度の範囲で設定されている。
【００４２】
本実施形態のＬＥＤ３２は、例えば１２０°等の広い出射角を有しているが、この出射角に応じて放物面鏡４１Ａの形状を最適に設定することで、出射した光のうち、第１反射部４１へ向かい、その第１反射部４１に捕らえられて平行光化に寄与する割合が高くなりすぎないように補正できる。これにより、商品模型載置面の背面側から前面側まで範囲で照度分布の均一化効果が高められる。
一方、ＬＥＤ３２から出射した光のうち第２反射部４２へ向かう光成分が増加しても、第２反射部４２のＺ方向の長さや開き角度θ（図５参照）を最適に設定することで、ＬＥＤ３２の直下から商品模型載置面の前面側へ向かう光成分を増大させることができる。これにより、商品模型載置面の前面側に陳列され商品が薄暗い照明光を受けるといった事態が回避できる。
【００４３】
次に、照明器具１２の光到達距離について説明する。
図９は本実施形態における照明器具１２の光源による照度と光源からの距離との関係を、反射面の有無やその種類α、β、γに応じて調べた概念的なグラフである。なお、各グラフα、β、γにおける限界照度δ以上となる領域が、照明に利用可能な有効照度を有する領域である。
【００４４】
照明装置１により自動販売機１０上の商品を照明する際に十分な照度を有する領域の広さは、商品模型載置面の幅方向（Ｙ）ばかりでなく、前面方向（Ｘ）への照明光の到達距離が大きく関係する。
図９に示すように、自動販売機１０上の陳列品を十分な照度で照明できる限界範囲が図中δで示すラインよりも上側範囲であるとすると、反射鏡部材４を備えない場合（α）には光源直下から距離Ｌ１を超えると照度不足となる。一方、第１反射部４１の放物面鏡のみ備えた場合（β）には、距離Ｌ２では許容内の照度を有しているが、距離Ｌ２を超えると照度不足となる。他方、本発明のような第１反射部４１の放物面鏡４１Ａと第２反射部４２の平面板鏡４２Ａとを共に備えた場合（γ）には、距離Ｌ１、Ｌ２から大きく隔てた距離Ｌ３まで照度不足を生じない。このように、本発明に係る構成の場合、光到達距離を放物面鏡４１Ａと平面板鏡４２Ａとの相乗効果により、飛躍的に伸ばすことができる。そして、光到達距離が延びることは自動販売機に置き換えた場合、前面パネルの照射領域が広くなることを意味する。
【００４５】
以上説明したように、本実施形態に係る照明器具１２及びこれを備えた照明装置１によれば、ＬＥＤ３２からの光束を第１反射部４１で反射して、商品模型載置面に向けて略平行化する。一方、第１反射部４１に入射しなかったＬＥＤ３２からの光束のうち第２反射部４２に照射されずにそのまま通過した光は、商品模型載置面の前面部に向けて発散状態で投光される。また、第２反射部４２に照射され反射された光は、陳列面の前面部に向かう。これにより、商品模型を照射するのに有効な照度を有する照明領域を、商品模型載置面の前面部に向けて拡大させることができる。
【００４６】
しかも、照明器具１２の棚天井部に配置する際は、反射鏡部材４の設置角度を意識して調整等行うことなく、平面状の照明器具裏面を棚天井部に単純に取り付けるという簡単な作業で済む。これにより、照明器具１２の設置作業が簡略化されて、工数及びコストの低減が図られる。また、光源となるＬＥＤ３２自体が安価に供給されているため、照明装置１全体を低コストで作製することができる。さらに、光源の消費電力は、白熱電球や蛍光灯等と比較して大幅に低いため、ランニングコストも低減できる。具体的には、同一照度下において、ＬＥＤ３２は、消費電力がネオン灯の１／６であり、蛍光灯の１／８である。このことは、照明のエネルギ効率を向上させ、ＣＯ2排出削減等の環境問題に及ぼす影響を削減することに寄与することになる。また、ＬＥＤ３２が低電圧駆動のために、ショックハザード等の設置後のトラブルが起こり難い。さらに、ここで使用するＬＥＤは、出射光の大部分が概ね４５０ｎｍの青色から７００ｎｍの赤色までの範囲に限られた波長パターンであるので、３８０ｎｍ以下の紫外線や７６０ｎｍを越える赤外線を殆ど含まないために、模型を傷めることがない。
【００４７】
照明器具１２は、ＬＥＤ３２の光出射側に第１，第２反射部４１，４２からなる反射鏡を設けているために、照明器具１２の厚みを薄く構成することができる。これは設置スペースの限られた自動販売機へ収納する際に特に有利となる。また、レンズ等により光路を偏向させる構成と比較して、光学系を簡単にでき、装置コストを低減できる。
【００４８】
なお、ＬＥＤ３２は、複数個を１ユニットとしたアレイ状として発光部３４を構成したが、図１０に一設置例を示すように、商用電源から引き出したフラットケーブル５の一部に接続用コネクタ６を介在させることにより、複数個の照明器具１２を容易に配置することができる。例えば、一つの棚面に３個の照明器具１２を用い、さらに他の棚面にも照明器具を同様に設置する場合には、図示例の３つの照明器具１２を１つの接続用コネクタ６から配線を引き出して設置し、他の棚面は、別の接続用コネクタから配線を引き出して設置する。つまり、棚面と他の棚面との間はフラットケーブル５で接続され、各棚面に対応して接続用コネクタが配置される。同じ棚の照明器具１２同士は、図示例のように並列接続でもよいが、照明器具１２同士をチェーン状に直接接続する直列接続とすることで、配線を簡略化できる。
【００４９】
また、反射鏡部材４は、第１反射部４１の放物面鏡４１Ａの反射面を、厳密な放物面とすることなく、例えば双曲線などの任意の曲線を基に形成される曲面であってもよい。いずれにせよ、放物面などに近似した曲面であれば良く、また、微細な平面鏡が組み合わさって全体として放物面状などに形成したものであってもよい。
【００５０】
ここで、本実施形態における照明器具１２は、例えば図５に示す反射鏡部材４の各反射面において、多数の細かい凹凸を設けて梨地状に形成してもよい。反射面の少なくとも一部を梨地面とすることで、梨地加工を行わない場合と比較して、照度が均一となる範囲が広くなり、一台の照明器具によって、より広範囲にわたる均一照明を行うことが可能となる。
【００５１】
（本照明器具の実施形態２）
次に、本発明に係る照明器具の実施形態２について説明する。
なお、本実施形態においては、実施形態１と同一部分には同一符号を付して重複する説明は省略するものとする。
図１１は本実施形態に係る照明器具７を取付けた自動販売機１０の要部を示す斜視図、図１２は自動販売機を下から見上げた状態を示す底面図、図１３は図１２のＲ−Ｒ断面図である。
本実施形態の照明器具７は、より高輝度で広範囲の棚照明を行うためのものであり、前述の実施形態１に示した照明器具１２において、複数個のＬＥＤ３２を直列に配置したアレイ状の発光部３４を、ＬＥＤ３２を複数列（本実施例では２列）平行に配置し、かつ、各発光ダイオードの列毎に、発光ダイオードの配置間隔を半周期分ずらすことで、千鳥状に配置している。照明器具７の各列におけるＬＥＤ３２の配置間隔は、隣接する各列の発光部３４からの照射光の強度を重ね合わせた全照度分布ができるだけ均一となるように設定される。
【００５２】
この構成によれば、照明器具７がＬＥＤ３２を複数列状にアレイ化することで、照度が均一となる範囲を拡大させることができ、照明する商品模型載置面の前面部までさらに高輝度で照明することができる。
【００５３】
上記したように、反射鏡部材の構造は適宜変更可能であり、その他にも、次のような変更があってもよい。即ち、ＬＥＤ３２の配列は、直線状の１列及び２列であったが、２列以上の多数列の場合には千鳥配置以外の適宜の規則的配置（正方配列など）、あるいはランダムな配置の構成としてもよい。また、前述したように、第２反射部４２の平面板鏡４２ＡのＬＥＤ３２の光軸に対する開き角度θ（図５のθと同様）を変更することで、ＬＥＤ３２からの出射光の偏向状態を調整することができる。
【実施例２】
【００５４】
図１４は本発明の実施例２に係る照明装置の部分断面図（Ａ）と実施例３を説明する図（Ｂ）である。図において、図１と共通する符号は重複説明を省略する。
図（Ａ）において、２０は本実施例に係る照明装置、２０−１は第１ユニット、２０−２は第２ユニット、１１は照明器具取付け棚、１２は本発明に係る照明器具、１４は前面パネル、１６は背面パネル、Ｔ（Ｔ１、Ｔ２）はタバコ模型、１８は背面パネル１６のタバコ模型側に貼り付けられた拡散シートである。
実施例１では積極的に利用されなかった照明器具１２の狭範囲均一照明側（すなわち、背面パネル１６側）の光を実施例２では積極的に利用するために、拡散シート１８を背面パネル１６の上に設けたことが特徴である。
このようにしたことにより、狭範囲の照明光が拡散シート１８によって乱反射することで、その一部が上段のタバコ模型Ｔ１と下段のタバコ模型Ｔ２の照明にさらに加わることになるので、さらに照度が向上する。また、拡散シート１８の上下位置を調節することで、乱反射光の多くを下段のタバコ模型Ｔ２側に向かわせるようにして、特に下段のタバコ模型Ｔ２の照度を上げて、上段のタバコ模型Ｔ１の照度に近づけることができる。
同じことは、第２ユニット８０−２にも当てはまる。
【００５５】
図１５は図１４の拡散シート１８を備えた照明装置２０による自動販売機の正面図である。
図において、２００は自動販売機、２０は実施例２に係る表示装置、２０−１〜２０−３は照明装置２０を構成するそれぞれ第１〜第３ユニット、１１１は表示部、１１２は紙幣挿入口、１１３はコイン投入口、１１４は返却ボタン、１１５は釣り銭渡し口、１１６は商品取り出し口である。Ｔ（Ｔ１、Ｔ２）はタバコ模型、Ｂは購入ボタンである。
上述のように、狭範囲の照明光が拡散シート１８（図１４）によって乱反射することで、その一部の多くが下段のタバコ模型Ｔ２側に向かうことになり、特に下段のタバコ模型Ｔ２の照度がより向上するため、図に示すように、第１ユニット２０−１の上段のタバコ模型Ｔ１も下段のタバコ模型Ｔ２も共に照度差がなくなり、図２と比べて一層改善された。
同じことは、第２ユニット２０−１、第３ユニット２０−３にも見られ、上段のタバコ模型Ｔ１も下段のタバコ模型Ｔ２も共に照度差が改善された。
【００５６】
以上のように、タバコ模型の背面パネル１６側に拡散シートを用いることで、これが無い図１の場合にはタバコ模型が青白く光っていたものが、白く光るようになり、商品が見やすく、外観上もよくなった。
【実施例３】
【００５７】
図１４（Ｂ）は本発明の実施例３を説明する図で、図において、この拡散シート１８の「白」から、例えば冬には拡散シート１８ａの赤の「暖色系の色」にすると、寒い冬に自動販売機を遠くから見たとき、「温かみ」を感じるようになり、自動販売機を見た人に安らぎ効果を与え、購買意欲がそそられることになる。
夏には拡散シート１８は拡散シート１８ｂの青い「寒色系の色」にするとよい。また、春には拡散シート１８ｃの若葉色、秋には拡散シート１８ｄの黄色が推奨される。
このように白の拡散シートの他に、季節によって拡散シートの色を変更すると、いままで殺風景であった自動販売機が、これからはこれを見た人に安らぎ効果を与え、購買意欲が増幅されることになる。
【実施例４】
【００５８】
図１６は実施例４に係る照明装置の部分断面図である。
図において、図１と共通する符号は重複説明を省略する。４０は本実施例に係る照明装置、４０−１は第１ユニット、４０−２は第２ユニット、１１は照明器具取付け棚、１２は本発明に係る照明器具、１４は前面パネル、１６は背面パネル、１８は拡散シート、Ｔはタバコ模型、１９は実施例４によってタバコ模型Ｔ２の中に設けられた拡散シートである。タバコ模型Ｔ２に上から到来した光はこの拡散シート１９により前方の前面パネル１４側に乱反射させる役目をするもので、そのために拡散シート１９はタバコ模型Ｔ２の正面図と同じ幅で上下方向が若干長い長方形をしており、タバコ模型Ｔ２の中で拡散面を前面パネル１４側に向けると共に上方背面側から下方正面側に向かうように斜めに設置されている。
このようにすることで、実施例１〜実施例３では用いられなかった真下に向かう光をこの拡散シート１９で乱反射させ、その反射光を前面パネル１４側に向けるようにしため、さらに下段のタバコ模型Ｔ２の照度がより向上する。
同じことは、第２ユニット４０−２の下段のタバコ模型Ｔ２にも当てはまる。
以上のように、本発明によれば、いずれの実施例においても照明装置に近い段と離れた段との間に照度差が生じない、かつ消費電力の少ない照明装置を備えた自動販売機が得られることとなる。
【実施例５】
【００５９】
図１７は実施例５に係る照明装置の部分断面図である。
図において、５０は本実施例に係る照明装置、５０−１は第１ユニット、５０−２は第２ユニット、１１は照明器具取付け棚、１２は本発明に係る照明器具、１４は前面パネル、１６は背面パネル、Ｔはタバコ模型、１８は背面パネル１６の一面に貼り付けられた拡散シートである。
実施例５においては、実施例２（図１４）における第２ユニット２０−２の照明器具取付け棚１１を共用化して、これに実施例２の第１ユニット２０−１の照明器具１２を上向きに、かつ第２ユニット２０−２の照明器具１２を下向きに取付けるようにしたもので、これによって第１ユニット５０−１の上方のスペース、すなわち、自動販売機の上方スペースを大幅に削減することが可能となる。しかも、この場合、上下いずれの照明器具１２、１２も第２反射板のある方を背面パネル１８向きにて設置しているので、実施例２の照明装置と同じ作用・効果が得られる。
さらに、第１ユニット５０−１のタバコ模型Ｔ１と第２ユニット５０−２のタバコ模型２１に実施例４を併用して、タバコ模型Ｔ１とＴ２の中に拡散シート１９を図の点線のように設置するようにすると、均一効果がいっそう増すこととなる。
【実施例６】
【００６０】
図１８は実施例６に係る照明装置の部分断面図である。
図において、６０は本実施例に係る照明装置、６０−１は第１ユニット、６０−２は第２ユニット、１１は照明器具取付け棚、１２は本発明に係る照明器具、１４は前面パネル、１６は背面パネル、Ｔ１、Ｔ２、Ｔ３は上から順に３段の各タバコ模型、１８は背面パネル１６の一面に貼り付けられた拡散シートで、上から順に、孔が比較的多くあけられたかまたは大きめの孔が所定個あけられた（拡散率の低い）拡散シート１８ａと、孔が少なめにあけられたかまたは小さめの孔が所定個あけられた（拡散率が１８ａより高い）拡散シート１８ｂと、孔のあいていない（拡散率の一番高い）拡散シート１８ｃとなっている。
実施例６においては、実施例２（図１４）におけるタバコ模型Ｔ１、Ｔ２の２段にさらにタバコ模型Ｔ３を１段増やして、３段にして、これを１個の照明器具１２で、タバコ模型Ｔ１、Ｔ２、Ｔ３をできるだけ均一に照明するようにしたものである。実施例２のように拡散シート１８を用いても、３段目のタバコ模型Ｔ３はどうしても暗くなったが、実施例６によればタバコ模型Ｔ１、Ｔ２、Ｔ３の背面にあるそれぞれの拡散シート１８ａ、１８ｂ、１８ｃの拡散率が異なる（拡散率は１８ａ＜１８ｂ＜１８ｃ）ものを用いることによって、均一照明が可能となる。
さらに、タバコ模型Ｔ３に実施例４を併用して、タバコ模型Ｔ３の中に拡散シート１９を設置するようにすると、均一効果がいっそう増すこととなる。
【００６１】
以上のように、広範囲の均一照明と狭範囲の均一照明が可能な本発明の照明器具を自動販売機に用いることで、従来の照明器具では得られなかった照明器具に近い段と離れた段との間に照度差のない均一照明を低消費電力で行なうことが可能となった。
【図面の簡単な説明】
【００６２】
【図１】自動販売機の２段をまとめて照明する本発明の実施例１に係る照明装置の部分断面図である。
【図２】図１の照明装置１０−１を３組備えた自動販売機の正面図である。
【図３】本発明に係る照明器具の要部拡大斜視図である。
【図４】図１におけるＰ−Ｐ矢視図で照明器具を設置した自動販売機の上面を示す底面図である。
【図５】図４におけるＱ−Ｑ断面図である。
【図６】（Ａ）は照明器具の側面図、（Ｂ）は底面図である。
【図７】照明器具の分解斜視図である。
【図８】照明器具での光源光の光路を示す説明図ある。
【図９】照明器具の光源による照度と光源からの距離との関係を、反射面の有無やその種類α、β、γに応じて調べた概念的なグラフである。
【図１０】照明器具を多数用いてライン状に配設するときの一構成例を示す説明図である。
【図１１】照明器具を取付けた自動販売機の要部を示す斜視図である。
【図１２】図１１の自動販売機を下から見上げた状態を示す底面図である。
【図１３】図１２のＲ−Ｒ断面図である。
【図１４】本発明の実施例２に係る照明装置の部分断面図（Ａ）と実施例３を説明する図（Ｂ）である。
【図１５】図１４の拡散シート１８を備えた照明装置２０による自動販売機の正面図である。
【図１６】本発明の実施例４に係る照明装置の部分断面図である。
【図１７】本発明の実施例５に係る照明装置の部分断面図である。
【図１８】本発明の実施例６に係る照明装置の部分断面図である。
【図１９】２段をまとめて照明する従来の自動販売機用照明装置の１例の部分断面図である。
【図２０】図１９の照明装置を３組備えた自動販売機の正面図である。
【符号の説明】
【００６３】
１  照明装置
２  駆動部
３，７  照明器具
４，８  反射鏡部材
１０  実施例１に係る照明装置
１０−１〜１０−３  実施例１に係る第１ユニット〜第３ユニット
１１  照明器具取付け棚
１２  本発明に係る照明器具
１４  前面パネル
１６  背面パネル
１７
１８  拡散シート
１９  タバコ模型内拡散シート
２０  実施例２に係る照明装置
２０−１〜２０−３  実施例２に係る第１ユニット〜第３ユニット
３１  背板
３２  ＬＥＤ（光源）
３３  配線基板（プリント基板）
３４  発光部
４０  実施例４に係る照明装置
４０−１〜４０−２  実施例４に係る第１ユニット〜第２ユニット
４１  第１反射部
４１Ａ  放物面鏡（第１反射部）
４２  第２反射部
４２Ａ  平面板鏡（第２反射部）
４３  開口
５０  実施例５に係る照明装置
５０−１〜５０−２  実施例５に係る第１ユニット〜第２ユニット
６０  実施例６に係る照明装置
６０−１〜６０−２  実施例６に係る第１ユニット〜第２ユニット
１００  実施例１に係る自動販売機
１１１  表示部
１１２  紙幣挿入口
１１３  コイン投入口
１１４  返却ボタン
１１５  釣り銭渡し口
１１６  商品取り出し口
３００  実施例２に係る自動販売機
Ｂ  購入ボタン
ＣＴ  カット領域
Ｐ１，Ｐ２  照明領域
Ｔ  商品模型（例：タバコ模型）
Ｔ１  上段のタバコ模型
Ｔ２  下段のタバコ模型
【図１】
2008140000.tif 000003
【図２】
2008140000.tif 000004
【図３】
2008140000.tif 000005
【図４】
2008140000.tif 000006
【図５】
2008140000.tif 000007
【図６】
2008140000.tif 000008
【図７】
2008140000.tif 000009
【図８】
2008140000.tif 000010
【図９】
2008140000.tif 000011
【図１０】
2008140000.tif 000012
【図１１】
2008140000.tif 000013
【図１２】
2008140000.tif 000014
【図１３】
2008140000.tif 000015
【図１４】
2008140000.tif 000016
【図１５】
2008140000.tif 000017
【図１６】
2008140000.tif 000018
【図１７】
2008140000.tif 000019
【図１８】
2008140000.tif 000020
【図１９】
2008140000.tif 000021
【図２０】
2008140000.tif 000022